(57)【要約】【課題】  データ通信帯域の有効利用を図ることができると共に、子機の受信電力消費を抑えることができる無線通信チャネルの選択方法を提供する。【解決手段】  親機１がネットワーク３に接続され、子機２と親機１の間で、リンクを確立するための１または複数の制御用無線通信チャネルと、データを通信するための複数のデータ用無線通信チャネルとを使用してデータ伝送が行われる。子機２が親機１へ接続要求信号を送信すると、親機１が、子機２からの接続要求信号に含まれる端末種別情報から、子機２の必要とする通信時間Tc_mを決定し、該通信時間Tc_mを、メモリ内に記憶されている割当済み時間TcD_j に加算する。そして、加算結果と予め設定されている各通信チャネルの最大割当時間TcDmax_tとを比較し、加算結果が最大割当時間TcDmax_t以内の通信チャネルを選択して子機２に通知する。【選択図】    図１
2005086776.tif 000002
【特許請求の範囲】
【請求項１】
親機がネットワークに接続され、子機と親機の間で複数の無線通信チャネルの１つを介してデータ伝送が行われ、前記子機が前記親機を介して前記ネットワークにアクセスする無線データ通信システムにおける親機の無線通信チャネル選択方法において、
前記子機からの接続要求信号に含まれる端末種別情報から、子機の必要とする通信時間Tc_mを決定し、
該通信時間Tc_mを、メモリ内に記憶されている割当済み時間TcD_j に加算し、
加算結果と予め設定されている各通信チャネルの最大割当時間TcDmax_tとを比較し、
前記加算結果が前記最大割当時間TcDmax_t以内の通信チャネルを選択して前記子機に通知し、
選択した通信チャネルの割当済み時間TcD_j に前記通信時間Tc_mを加算した結果を前記メモリに割当済み時間TcD_j として格納する
ことを特徴とする親機の無線通信チャネル選択方法。
【請求項２】
前記通信時間Tc_mを、メモリ内に記憶されている割当済み時間TcD_j のそれぞれと加算し、加算結果が前記最大割当時間TcDmax_t以内であって、かつ、加算結果が最小の通信チャネルを選択して前記子機に通知することを特徴とする請求項１に記載の親機の無線通信チャネル選択方法。
【請求項３】
前記複数の無線通信チャネルの中から、ランダムに１チャネルを選択し、前記通信時間が、該１チャネルに割り当て可能な時間に収まるときは、これを選択し、収まらないときは、このチャネルを除外して再度選択しなおす操作を繰り返すこと特徴とする請求項１に記載の親機の無線通信チャネル選択方法。
【請求項４】
親機がネットワークに接続され、子機と親機の間で、リンクを確立するための１または複数の制御用無線通信チャネルと、データを通信するための複数のデータ用無線通信チャネルとを使用してデータ伝送が行われ、前記子機が前記親機を介して前記ネットワークにアクセスする無線データ通信システムにおける親機において、
前記制御用無線通信チャネルおよび前記データ用無線通信チャネルを使用して前記子機と通信を行う通信手段と、
前記データ用無線通信チャネルの割当済み時間TcD_j を記憶する第１の記憶手段と、
前記データ用無線通信チャネルの最大割当時間TcDmax_tを記憶する第２の記憶手段と、
前記子機から前記制御用無線通信チャネルを介して接続要求信号を受け、該接続要求信号に含まれる端末種別情報から、子機の必要とする通信時間Tc_mを決定する通信時間決定手段と、
該通信時間Tc_mを、前記第１の記憶手段内に記憶されている割当済み時間TcD_j に加算し、加算結果と前記第２の記憶手段内の最大割当時間TcDmax_tとを比較し、前記加算結果が前記最大割当時間TcDmax_t以内の通信チャネルを選択して前記子機に通知する選択手段と、
選択した通信チャネルの割当済み時間TcD_j に前記通信時間Tc_mを加算した結果を前記第１の記憶手段に割当済み時間TcD_j として格納する格納手段と、
を具備することを特徴とする無線データ通信システムにおける親機。
【請求項５】
前記選択手段は、前記通信時間Tc_mを、前記第１の記憶手段内の割当済み時間TcD_j のそれぞれと加算し、加算結果が前記最大割当時間TcDmax_t以内であって、かつ、加算結果が最小の通信チャネルを選択して前記子機に通知することを特徴とする請求項４に記載の無線データ通信システムにおける親機。
【請求項６】
前記選択手段は、前記複数のデータ用無線通信チャネルの中から、ランダムに１チャネルを選択し、前記通信時間Tc_mが、該１チャネルに割り当て可能な時間に収まるときは、これを選択し、収まらないときは、このチャネルを除外して再度選択しなおす操作を繰り返すこと特徴とする請求項４に記載の無線データ通信システムにおける親機。
【請求項７】
前記通信手段は、前記複数のデータ用無線通信チャネルで通信するために、フレームの送信に先立ち、キャリアセンス手段を備えることを特徴とする請求項４に記載の無線データ通信システムにおける親機。
【請求項８】
前記通信手段は、前記制御用無線通信チャネルで通信するために、ＣＳＭＡ／ＣＡ方式で通信する手段を備えることを特徴とする請求項４に記載の無線データ通信システムにおける親機。
【請求項９】
親機がネットワークに接続され、子機と親機の間で、リンクを確立するための１または複数の制御用無線通信チャネルと、データを通信するための複数のデータ用無線通信チャネルとを使用してデータ伝送が行われ、前記子機が前記親機を介して前記ネットワークにアクセスする無線データ通信システムにおける親機において、
前記制御用無線通信チャネルを介して接続要求信号を前記親機へ送信する第１の送信手段と、
前記親機から通知されたデータ用無線通信チャネルを介してデータ通信を行う通信手段と、
通信終了時に前記制御用無線通信チャネルを介して接続断要求信号を前記親機へ送信する第２の送信手段と、
を具備することを特徴とする無線データ通信システムにおける子機。
【発明の詳細な説明】
【技術分野】
【０００１】
本発明は、データ通信帯域の有効利用を図った無線通信チャネル選択方法その方法を用いた無線データ通信システムにおける親機並びに子機に関する。
【背景技術】
【０００２】
無線を用いたネットワークの実現方法としては、親機（制御局）の存在する集中管理方式と、親機の存在しない分散制御方式がある。従来の親機を用いた技術として特許文献１に記載されるものが知られている。この文献に記載された従来技術においては、親機（制御局）は、少なくとも１つの制御チャネルと複数のデータ通信用チャネルを持ち、制御チャネルにおける、子機（端末）からの接続要求に基づいて、データ通信用チャネルを割り当てる際に、可能な限り接続要求を却下することなく親機において処理を行うことにより、子機側の上位レベルのプロトコル（またはアプリケーション）による再送を減らし、処理を高速化している。しかし、この特許文献１には、そのデータ通信用チャネルの効率的な割り当て方法については開示されていない。
【０００３】
また、この特許文献１の技術は、空きチャネルがない場合、接続要求を親機において一定時間もしくは接続要求信号内で指定された時間だけ保留するため、子機は接続可能の成否を早く知ることができず、その間、子機の受信回路の消費電力を抑えることができない問題がある。
【特許文献１】特開平8-186567号公報
【発明の開示】
【発明が解決しようとする課題】
【０００４】
本発明は上記事情を考慮してなされたもので、その目的は、データ通信帯域の有効利用を図ることができると共に、子機の受信電力消費を抑えることができる無線通信チャネルの選択方法を提供することにある。
【課題を解決するための手段】
【０００５】
この発明は上記の課題を解決するためになされたもので、請求項１に記載の発明は、親機がネットワークに接続され、子機と親機の間で複数の無線通信チャネルの１つを介してデータ伝送が行われ、前記子機が前記親機を介して前記ネットワークにアクセスする無線データ通信システムにおける親機の無線通信チャネル選択方法において、前記子機からの接続要求信号に含まれる端末種別情報から、子機の必要とする通信時間Tc_mを決定し、該通信時間Tc_mを、メモリ内に記憶されている割当済み時間TcD_j に加算し、加算結果と予め設定されている各通信チャネルの最大割当時間TcDmax_tとを比較し、前記加算結果が前記最大割当時間TcDmax_t以内の通信チャネルを選択して前記子機に通知し、選択した通信チャネルの割当済み時間TcD_j に前記通信時間Tc_mを加算した結果を前記メモリに割当済み時間TcD_j として格納することを特徴とする親機の無線通信チャネル選択方法である。
【０００６】
請求項２に記載の発明は、請求項１に記載の親機の無線通信チャネル選択方法において、前記通信時間Tc_mを、メモリ内に記憶されている割当済み時間TcD_j のそれぞれと加算し、加算結果が前記最大割当時間TcDmax_t以内であって、かつ、加算結果が最小の通信チャネルを選択して前記子機に通知することを特徴とする。
請求項３に記載の発明は、請求項１に記載の親機の無線通信チャネル選択方法において、前記複数の無線通信チャネルの中から、ランダムに１チャネルを選択し、前記通信時間が、該１チャネルに割り当て可能な時間に収まるときは、これを選択し、収まらないときは、このチャネルを除外して再度選択しなおす操作を繰り返すこと特徴とする。
【０００７】
請求項４に記載の発明は、親機がネットワークに接続され、子機と親機の間で、リンクを確立するための１または複数の制御用無線通信チャネルと、データを通信するための複数のデータ用無線通信チャネルとを使用してデータ伝送が行われ、前記子機が前記親機を介して前記ネットワークにアクセスする無線データ通信システムにおける親機において、前記制御用無線通信チャネルおよび前記データ用無線通信チャネルを使用して前記子機と通信を行う通信手段と、前記データ用無線通信チャネルの割当済み時間TcD_j を記憶する第１の記憶手段と、前記データ用無線通信チャネルの最大割当時間TcDmax_tを記憶する第２の記憶手段と、前記子機から前記制御用無線通信チャネルを介して接続要求信号を受け、該接続要求信号に含まれる端末種別情報から、子機の必要とする通信時間Tc_mを決定する通信時間決定手段と、該通信時間Tc_mを、前記第１の記憶手段内に記憶されている割当済み時間TcD_j に加算し、加算結果と前記第２の記憶手段内の最大割当時間TcDmax_tとを比較し、前記加算結果が前記最大割当時間TcDmax_t以内の通信チャネルを選択して前記子機に通知する選択手段と、選択した通信チャネルの割当済み時間TcD_j に前記通信時間Tc_mを加算した結果を前記第１の記憶手段に割当済み時間TcD_j として格納する格納手段と、  を具備することを特徴とする無線データ通信システムにおける親機である。
【０００８】
請求項５に記載の発明は、請求項４に記載の無線データ通信システムにおける親機において、前記選択手段は、前記通信時間Tc_mを、前記第１の記憶手段内の割当済み時間TcD_j のそれぞれと加算し、加算結果が前記最大割当時間TcDmax_t以内であって、かつ、加算結果が最小の通信チャネルを選択して前記子機に通知することを特徴とする。
請求項６に記載の発明は、請求項４に記載の無線データ通信システムにおける親機において、前記選択手段は、前記複数のデータ用無線通信チャネルの中から、ランダムに１チャネルを選択し、前記通信時間Tc_mが、該１チャネルに割り当て可能な時間に収まるときは、これを選択し、収まらないときは、このチャネルを除外して再度選択しなおす操作を繰り返すこと特徴とする。
【０００９】
請求項７に記載の発明は、請求項４に記載の無線データ通信システムにおける親機において、請求項４に記載の無線データ通信システムにおける親機において、前記通信手段は、前記複数のデータ用無線通信チャネルで通信するために、フレームの送信に先立ち、キャリアセンス手段を備えることを特徴とする。
請求項８に記載の発明は、前記通信手段は、前記制御用無線通信チャネルで通信するために、ＣＳＭＡ／ＣＡ方式で通信する手段を備えることを特徴とする。
【００１０】
請求項９に記載の発明は、親機がネットワークに接続され、子機と親機の間で、リンクを確立するための１または複数の制御用無線通信チャネルと、データを通信するための複数のデータ用無線通信チャネルとを使用してデータ伝送が行われ、前記子機が前記親機を介して前記ネットワークにアクセスする無線データ通信システムにおける親機において、前記制御用無線通信チャネルを介して接続要求信号を前記親機へ送信する第１の送信手段と、前記親機から通知されたデータ用無線通信チャネルを介してデータ通信を行う通信手段と、通信終了時に前記制御用無線通信チャネルを介して接続断要求信号を前記親機へ送信する第２の送信手段とを具備することを特徴とする無線データ通信システムにおける子機である。
【発明の効果】
【００１１】
請求項１、請求項４の発明によれば、子機の必要とする通信時間Tc_mを親機が計算し、接続可能か否かを判断するため、子機は早くこれを知ることができ、受信電力消費を抑えるなど、他の処理に移ることができる。図６に従来の方法と本発明の方法との対比を示す。
また、請求項２、請求項５の発明によれば、チャネルを選択するに当り、簡便な方法でチャネル使用率を向上させることが可能となる。
また、請求項３、請求項６の発明によれば、チャネル選択の実現方法を簡便にできる効果がある。
【００１２】
また、請求項４の発明によれば、親機が、リンクを確立するための１または複数の制御用無線通信チャネルと、データ・フレームを通信するための複数の無線通信チャネルを備えることによって、複数のデータ用無線通信チャネル帯域のスケジューリングが可能となり、帯域の有効利用を図ることができる。図７にデータ通信チャネルの利用例を示す。
また、請求項７の発明によれば、データ通信を行うために、キャリアセンスする必要がないため、データ通信チャネル帯域の有効利用を顕著にできる。
また、請求項８の本発明によれば、標準化された技術であるため、本発明を実施するにあたり、チップの開発が不要となるなど、低コスト化を図ることができる。
【発明を実施するための最良の形態】
【００１３】
以下、図面を参照し、この発明の実施の形態について説明する。図１はこの発明の一実施の形態による無線データ通信システムの構成を示すブロック図である。この無線データ通信システムは、親機１がネットワーク３に接続され、子機２−ｍ（ｍ＝１、２、・・・Ｎｔ）と親機１の間で無線によるデータ伝送が行われ、子機２−ｍが親機１を介してネットワーク３にアクセスする。親機１は、子機２−ｍとリンクを確立するために、１つの無線通信チャネル（以下、リンク確立用チャネルという）と、データ・フレームを通信するための３つの無線通信チャネル（以下、データ通信用チャネルという）を実現する無線部を有する。
【００１４】
子機２−ｍは、親機１に接続するために、リンク確立用チャネルにおいて、親機１に対して、接続要求信号を送出し、親機１は、その信号を受信し、接続要求処理を行う。また、子機２−ｍは、親機からの接続断を行うために、接続断要求信号を送出し、親機１はその信号を受け、接続断要求処理を行う。リンク確立用チャネルは、無線ＬＡＮで標準のＣＳＭＡ／ＣＡ（Carrier Sense Multiple Access with Collision Avoidance）方式を用いる。３つのデータ通信用チャネルは、ＴＤＭＡ（Time Division Multiple Access）方式を用いる。
【００１５】
次に、上記の通信システムにおける親機１の動作を図２に示す親機１の状態遷移図を参照して説明する。
最初に、以下の説明で使用される記号を説明する。
ChA_i(i=1,…Na)：方式により定められたNa個のリンク接続用無線通信チャネル。
ＣＳＭＡ／ＣＡ通信に利用。子機が親機に未接続であり、親機に接                    続要求を行う場合、子機は無線通信チャネルをランダムに選択する。                  なお、以下の説明においてはNa=1としている。
ChD_j(j=1,…Nd)：親機が定めたNd個のデータ通信用無線通信チャネル。
ChA_iには含まれない。ＴＤＭＡ通信に利用。接続要求応答信号にお
いて親機が指定。なお、以下の説明においてはNd=3としている。
TcD_j(j=1,…Nd)：無線通信チャネルChD_jに割り当て済みの通信時間帯の総時間。
TcDmax_ｔ(j=1,…Nd)：無線通信チャネルChD_jに割り当て可能な通信時間帯の最大値    ChT_m(m=1,…Nt)：子機２−ｍのチャネル識別子
Tc_m(m=1,…Nt)：子機２−ｍが必要とする通信時間
Nt：子機の数
【００１６】
まず、親機１は、初期状態のとき、１つのリンク確立用チャネルと、３つのデータ通信用チャネルの中心周波数をそれぞれ2.412GHz,  2.437GHz,  2.462GHz,  2.484GHzと決定し、３つのデータ通信用チャネルの各々のチャネルの割り当て済み総時間を示す変数TcD_j（j=l,2.3）を「０」に初期化した後に（ステップＳ１）、子機２−ｍからの接続待ち状態に遷移する（ステップＳ２）。子機２−ｍからの接続待ち状態のとき、リンク確立用チャネルを監視し、子機２−ｍからの接続要求信号、もしくは、子機２−ｍからの接続断要求信号の受信待ち状態に入る。
【００１７】
子機２−ｍからの接続要求信号を受信したときは、子機確認状態に遷移し（ステップＳ３）、子機２−ｍからの接続断要求信号を受信したときは、子機接続断状態に遷移する（ステップＳ４）。親機１は、子機確認状態のとき、子機２−ｍからの接続要求信号に含まれる子機情報を確認する。子機情報は、端末種別と各子機に一意な子機アドレスを含む。
端末種別の意味を図３に示す。「端末種別」の欄に端末種別として種別１〜種別４が記載されている。例えば、端末種別４は、ＴＤＭＡ方式によりデータ通信を行うことを示し、その子機２−ｍが、送信用に64kb/sの帯域を、受信用に128kb/sの帯域を必要とすることを示している。
【００１８】
親機１は、親機１内部に保持する接続許可子機アドレスのリストに、子機アドレスが存在するときは、その子機２−ｍの親機１への接続を許可し、存在しないときは、接続を許可しない。親機１は、子機２−ｍの親機への接続を許可しないときは、子機２−ｍからの接続待ち状態（ステップＳ２）に戻る。親機１は、その子機２−ｍの親機への接続を許可するときは、端末種別を確認し、時分割多重アクセスチャネル選択状態に遷移する（ステップＳ５）。親機１は、時分割多重アクセスチャネル選択状態のとき、３個のチャネルの中から、後述のチャネル選択方法により、１チャネルを選択し、接続要求応答信号を子機２−ｍに送信する。親機１は、そのチャネルでの子機２−ｍのデータ通信を許可する。帯域不足により、１チャネルを選択できないときは、帯域不足時の接続要求応答状態に遷移する（ステップＳ６）。選択できたときは、接続状態に遷移する（ステップＳ７）。
【００１９】
親機１は、帯域不足時の接続要求応答状態において、子機２−ｍに対して、帯域不足であることを示す接続要求応答信号を送信し、子機２−ｍからの接続待ち状態（ステップＳ２）に戻る。親機１は、接続状態（ステップＳ７）において、接続要求応答信号を子機２−ｍに送信し、その子機２−ｍのデータ通信を許可する。この際、子機２−ｍのデータ通信を許可したチャネル番号をtとすると、子機２−ｍのチャネル識別子ChT_mをｔとすると共に、チャネルの割り当て済み総時間を示す変数TcD_tに子機２−ｍの必要とする通信時間Tc_mを加算する。
【００２０】
また、親機１は、子機接続断状態（ステップＳ４）において、該当チャネルヘの割り当てを解除し、子機からの接続待ち状態（ステップＳ２）に遷移する。該当チャネルヘの解除に伴い、そのチャネルの割り当て済み総時間を示す変数TcD_tからその子機２−ｍが必要とする通信時間Tc_mを減算する。
【００２１】
次に、チャネル選択法について述べる。
親機１は、時分割多重アクセスチャネル選択状態（ステップＳ５）において、チャネル選択を行う。親機１は、時分割多重アクセスチャネルに割り当て可能な通信時間帯の最大値（TcDmax_j）と、既に割り当て済みの通信時間帯の総時間（TcD_ｊ）を内部のメモリに保持する。初期状態においては、TcD_jは、いずれも「０」である（ステップＳ１）。また、時分割多重アクセスチャネルの割り当て時間の周期を500msとする。すなわち、TcDmax_j=500ms （j=1,2,3）とする。親機１は、子機２−ｍからの接続要求信号に含まれる端末種別から、子機２−ｍの必要とする通信時間Tc_mを決定する。例えば、端末種別が種別３であるときは、無線通信チャネルの伝送速度が11Mb/sであるから、500msあたり子機２−ｍの必要とする通信時間Tc_mは、
Tc_m = （64kb/s + 64kb/s） / （11Mb/s） / 2 = 5.32 ms
となる。同様に、端末種別が種別４であるときは、
Tc_m = 8.73ms
となる。なお、上記Tc_mにガードタイムとして一定値を加算してもよい。
【００２２】
以上の計算結果Tc_mを，各TcD_j(0=1,2,3）の値に加算し、その加算結果が割当可能な通信時間帯の最大値TcDmax_jより小であって、かつ、加算結果が最小となる時分割多重アクセスチャネルを選択する。その際に、TcD_j（j=1,2,3）の最小値を取る時分割多重アクセスチャネルが複数存在する場合は、そのjの最小のものを選択する。例えば、TcD_1とTcD_2が同一の最小値を取るときは、TcD_1を選択する。
【００２３】
図４は、親機１の構成を示す。以下、その構成について説明する。
親機１は、初期化手段１１と、送受信手段１２と、接続許可子機アドレス保持手段１３と、接続要求処理手段１４と、端末確認手段１５と、選択チャネル保持手段１６と、チャネル選択処理手段１７と、接続要求応答信号処理手段２１と、接続断要求処理手段２２と、接続断要求応答処理手段２３と、データ信号送信手段２４と、データ２５と、データ信号受信手段２６とを有する。
【００２４】
初期化手段１１は、各データ通信用チャネルに使用する周波数帯を決定すると共に、データ通信用チャネルの割り当て済み総時間を示す変数TcD_j（j=1,2,3）を「０」に初期化する。送受信手段１２は、初期化手段１１より、得た各データ通信用チャネルの周波数帯情報から、データ通信用チャネルの周波数帯を決定し、各データ通信用チャネルでデータ信号を送受信し、リンク確立用チャネルで、接続要求信号と、接続断要求信号とを受信するとともに、接続要求応答信号および接続断要求応答信号を送信する。
【００２５】
接続許可子機アドレス保持手段１３は、接続許可子機アドレスのリストを記憶する。接続要求処理手段１４は、接続要求信号に含まれる子機情報を読み取る。端末確認手段１５は、子機情報に含まれる子機アドレスおよび端末種別を読み取る。端末種別が、図３に示すものでないか、子機アドレスが、接続許可子機アドレスのリストに含まれていなければ、接続を許可しない。選択チャネル保持手段１６は、チャネル情報を記憶する。チャネル情報は、データ通信用チャネルの割り当て済み総時間TcD_j  (j=l,2,3)と、各データ通信用チャネルに割り当てられた子機アドレス、子機の必要とする通信時間Tc_mおよび時間Tc_mのオフセット時間Off_mのリストを含む。
【００２６】
チャネル選択処理手段１７は、チャネル情報と子機情報から、子機２−ｍの必要とする通信時間Tc_mを計算すると共に、子機２−ｍに割り当てるデータ通信用チャネルを決定する。このとき、データ通信用チャネルに接続を許可できるときは、子機２−ｍのチャネル識別子ChT_mをその決定したデータ通信用チャネルのチャネル番号とし、許可情報を生成する。不許可のときは、不許可情報を生成する。接続要求応答信号処理手段２１は、接続要求応答信号を生成する。接続断要求処理手段２２は、接続断要求信号に含まれる子機情報を読みとり、選択チャネル保持手段１６から、チャネル情報を読み取った後、該当子機のチャネル割り当てを解除し、チャネル情報を更新する。接続断要求応答処理手段２３は、接続断要求応答信号を生成して送信手段２２へ出力する。データ信号送信手段２４は、データ２５から送信用データ信号を生成し、データ信号受信手段２６は、受信データ信号からデータ２５を生成する。
【００２７】
なお、上記実施形態では、親機１が、各子機２−ｍに対して接続断要求応答信号を生成したが、子機２−ｍからのデータ信号を監視し、もしデータ信号が一定期間なければ、その子機２−ｍの接続を不許可とする手段を含めれば、必ずしも接続断要求応答信号は必要でない。
また、上記実施形態では、親機１は、１つのリンク確立用チャネルと、３つのデータ通信用チャネルを備えたが、一般に、Na個（Naは自然数）のリンク確立用チャネルとNd個（Ndは自然数）のデータ通信用チャネルを備えることも請求の範囲に含まれる。
【００２８】
また、上記実施形態では、リンク確立用チャネルと、データ通信用チャネルは、別々の周波数帯を利用しているが、例えば、リンク確立用チャネルの周波数帯をデータ通信用チャネルと同一のものとして、リンク確立用チャネルと、データ通信用チャネルを、時分割多重アクセス通信のチャネルとして、論理的に親機１が備えることも請求の範囲に含まれる。図５は、その１例を示し、周期的に１つのリンク確立用チャネルと１つのデータ通信用チャネルを備えている様子を示す。
【００２９】
また、上記実施形態では、リンク確立用のNa個の無線通信チャネルで通信する方式として、キャリアセンス手段を備えるＣＳＭＡ／ＣＡ方式を採用しているが、時分割多重アクセス方式を採用してもよい。
また、他のキャリアセンス手段を備える無線チャネルアクセス方式でも効果は同様であり、他の無線通信チャネルアクセス方式でもよい。
また、上記実施形態では、時分割多重アクセスチャネル選択方法は、Nd個の無線通信チャネルの中から、割り当て済み通信時間帯の総時間（TcD_j）の最も小さい無線通信チャネルを選択したが、Nd個の無線通信チャネルの中から、ランダムに１チャネルを選択し、子機２−ｍの必要とする通信時間が、１チャネルに割り当て可能な時間に収まるときは、これを選択し、収まらないときは、このチャネルを除外し、再度選択しなおす操作を、有限回繰り返すことにより、選択してもよい。
【図面の簡単な説明】
【００３０】
【図１】この発明の一実施形態による無線データ通信システムの構成を示すブロック図である。
【図２】同通信システムにおける親機１の動作を説明するための流れ図である。
【図３】同通信システムにおいて用いられる子機２−ｍの種別を示す図である。
【図４】同親機１の構成を示すブロック図である。
【図５】同通信システムにおいて、リンク確立用チャネルの周波数帯をデータ通信用チャネルと同一のものとした場合を説明するための説明図である。
【図６】本発明の効果を説明するための図である。
【図７】本発明の効果を説明するための図である。
【符号の説明】
【００３１】
１…親機
２−ｍ（ｍ＝１，２…Ｎｔ）…子機
３…ネットワーク
１１…初期化手段
１２…送受信手段
１３…接続許可子機アドレス保持手段
１４…接続要求処理手段
１５…端末確認手段
１６…選択チャネル保持手段
１７…チャネル選択処理手段
２１…接続要求応答信号処理手段
２２…接続断要求処理手段
２３…接続断要求応答処理手段
２４…データ信号送信手段
２５…データ
２６…データ信号受信手段
【図１】
2005086776.tif 000003
【図２】
2005086776.tif 000004
【図３】
2005086776.tif 000005
【図４】
2005086776.tif 000006
【図５】
2005086776.tif 000007
【図６】
2005086776.tif 000008
【図７】
2005086776.tif 000009